(57)【要約】【課題】額縁を、天井面から吊るした取り付け具に取り付ける際の額縁の状態の安定化を図ることが可能であり、取り付け作業が容易で小型な額縁取り付け具を提供する。【解決手段】天井面１５Ｓに固定された天板部２を介して吊り下げられた延在部３のＵ字型空間内に矩形板部７が挿入され、額縁１８の高さ寸法を見込んで、延在部３の両貫通穴と矩形板部７の貫通穴とを対向させた状態で連結部材により両部３，７を一体的に固定して、額縁１８の上下方向の位置が調整・決定される。額縁１８の下端部１８ＬＥ１，１８ＬＥ２の各々が両額縁支持部８，９の各上面に搭載された状態に於いて、紐１３の架け替えにより、額縁１８は所望の傾斜角度で壁面から離隔して安定的に取り付けられる。その上で、両部８，９の各々は各溝部１０，１１に沿ってＸ方向にスライドされて、両側面１８ＳＳ１，８ＳＳ４の位置及び両側面１８ＳＳ２，９ＳＳ４の位置がそれぞれ重なる。【選択図】図１４
2012165842.tif 000002
【特許請求の範囲】
【請求項１】
第１取り付け部材と、
第２取り付け部材と、
前記第１取り付け部材と前記第２取り付け部材とを互いに連結するための連結部材と
を備える額縁の取り付け具であり、
前記第１取り付け部材は、
天板部と、
延在部と
を備え、
前記天板部は、
底面と、
前記底面の短手方向の中心軸からみて右側部分及び左側部分のそれぞれに配設された貫通孔と、
前記各貫通孔を介してビスにより天井面に取り付け可能な上面と
を備え、
前記延在部は、
前記天板部の前記底面の中心部分に結合された上端面と、
下端面と、
その短手方向の中心軸が前記天板部の前記底面の前記中心軸に対応する様に、前記上端面から前記下端面まで、その長手方向に延在して所定の形状の横断面形状を成す側面部と、
前記上端面から前記下端面まで延在した前記所定の形状の空間を成す前記側面部の一方側に所定の中心間ピッチで配設された複数の第１貫通穴と、
前記側面部の一方側とで前記所定の形状の空間を挟んだ前記側面部の他方側に、その各々が前記複数の第１貫通穴の各々と対向する様に前記所定の中心間ピッチで配設された複数の第２貫通穴と
を備え、
前記第２取り付け部材は、
矩形板部と、
台座板部と、
額縁の下端部の一方側部分が載置される上面と、その長手方向の一方の側面の一端部より突出した第１スライド部分とを有する第１額縁支持部と、
前記額縁の前記下端部の他方側部分が載置される上面と、前記第１額縁支持部の厚みと同一の厚みと、その長手方向の一方の側面の一端部より突出した第２スライド部分とを有する第２額縁支持部と
を備え、
前記矩形板部は、少なくとも１個の第３貫通穴を有すると共に、その上端部側から前記所定の形状の空間内に挿入されて前記所定の形状の空間内を上下動可能な厚みを有し、
前記台座板部は、
前記第１額縁支持部の下面及び前記第２額縁支持部の下面の各々がその上に載置されると共に、前記矩形板部の下端がその中心部の長手方向の一方の側面側部分に固定される上面を有する平面板部と、
前記平面板部の前記長手方向の一方の側面に沿って前記平面板部の前記上面より略直角で所定の高さだけ上方に延在した壁面部と
を備え、
前記矩形板部の前記下端より前記所定の高さだけ上方に延在した部分は、前記壁面部の前記平面板部側の壁面に結合されており、
前記壁面部は、
前記壁面部に部分的に固定された前記矩形板部の下端部分の左右それぞれの部分に前記平面板部の前記長手方向に沿って貫通配設された第１溝部及び第２溝部を備えており、
前記第１額縁支持部は、前記第１スライド部分が前記第１溝部に嵌められることによって可能となる前記第１スライド部分の前記第１溝部内の移動に応じて、前記額縁の前記下端部の前記一方側部分の端の前記平面板部の前記長手方向に於ける位置と、前記第１額縁支持部の短手方向に於ける両側面の内で前記矩形板部に対向していない側面の前記平面板部の前記長手方向に於ける位置とが同一となる様に、前記平面板部の前記長手方向の一方又は他方に沿って、前記平面板部の前記上面上をスライド可能であり、
前記第２額縁支持部は、前記第２スライド部分が前記第２溝部に嵌められることによって可能となる前記第２スライド部分の前記第２溝部内の移動に応じて、前記額縁の前記下端部の前記他方側部分の端の前記平面板部の前記長手方向に於ける位置と、前記第２額縁支持部の短手方向に於ける両側面の内で前記矩形板部に対向していない側面の前記平面板部の前記長手方向に於ける位置とが同一となる様に、前記平面板部の前記長手方向の一方又は他方に沿って、前記平面板部の前記上面上をスライド可能であり、
前記連結部材は、
前記複数の第１貫通穴及び前記第２貫通穴の内で互いに対向し合う貫通穴同士並びに前記第３貫通穴を貫通して前記延在部と前記矩形板部とを一体的に支持可能な第１支持部分と、
前記額縁の裏面の２箇所の支持部によって支持された紐の一部を、当該紐の横断面形状が三角形の形状を成す様に、且つ、前記額縁が前記矩形板部の延在方向に対して所定の角度を成す様に、支持する第２支持部分と、
前記第１支持部分と第２支持部分とを繋ぐ第３支持部分と
を有する
ことを特徴とする額縁の取り付け具。
【請求項２】
請求項１記載の額縁の取り付け具であって、
前記矩形板部は、前記所定の中心間ピッチで配列された複数の第３貫通穴を有する
ことを特徴とする額縁の取り付け具。
【請求項３】
請求項１又は２に記載の額縁の取り付け具であって、
前記所定の形状はＵ字型形状である
ことを特徴とする額縁の取り付け具。
【請求項４】
請求項１又は２に記載の額縁の取り付け具を用いて額縁を取り付ける方法であって、
前記天板部を、前記各貫通孔を介して、前記ビスにより前記天井面に取り付けることにより、前記第１取り付け部材を前記天井面から吊り下げるステップと、
前記矩形板部を、その上端部側から前記所定の形状の空間内に挿入して前記所定の形状の空間内を上下動させることで、前記第１貫通穴、前記第３貫通穴及び前記第２貫通穴を互いに対向配置させた上で、前記連結部材の前記第１支持部分を前記第１貫通穴、前記第３貫通穴及び前記第２貫通穴の各穴を順次に通すことで、前記天井面に固定されている前記延在部に対して前記矩形板部を一体的に取り付けるステップと、
前記額縁の前記下端部の一方側部分を前記第１額縁支持部の上面に載置すると共に、前記額縁の前記下端部の他方側部分を前記第２額縁支持部の上面に載置して、前記額縁の前記下端部を前記台座板部によって支持するステップと、
前記紐を、前記額縁の前記裏面の前記２箇所の支持部及び前記連結部材の前記第２支持部分によって、前記紐の横断面形状が三角形の形状を成す様に支持しつつ、前記額縁が前記矩形板部の前記延在方向に対して前記所定の角度を成す様に、前記紐の長さを調整して前記紐を結ぶステップと、
前記第１スライド部分を前記第１溝部内で移動させることで、前記第１額縁支持部を前記平面板部の前記長手方向に沿ってスライドさせて、前記額縁を正面から見た場合に於いて、前記第１額縁支持部の短手方向に於ける両側面中の他方側の側面の前記平面板部の前記長手方向に於ける位置が前記額縁の長手方向に於ける両側面中の一方側の側面の下部の前記平面板部の前記長手方向に於ける位置に来るように、前記第１額縁支持部のスライドを調整するステップと、
前記第２スライド部分を前記第２溝部内で移動させることで、前記第２額縁支持部を前記平面板部の前記長手方向に沿ってスライドさせて、前記額縁を正面から見た場合に於いて、前記第２額縁支持部の短手方向に於ける両側面中の他方側の側面の前記平面板部の前記長手方向に於ける位置が前記額縁の長手方向に於ける両側面中の他方側の側面の下部の前記平面板部の前記長手方向に於ける位置に来るように、前記第２額縁支持部のスライドを調整するステップと
を備えることを特徴とする額縁の取り付け方法。
【発明の詳細な説明】
【技術分野】
【０００１】
この発明は、額縁を取り付けるための器具に関する。
【背景技術】
【０００２】
賃貸の住宅やマンションでは、壁が両隣の部屋を区切っているため、壁面に穴を開けてフックを取り付けることで絵画等の額縁を固定することは、通常、契約等によって制限されている。又、新築の住宅に於いても、壁面にフックを取り付けて額縁を壁面上に取り付けることを好まない人も多々いる。
【０００３】
そこで、壁面ではなくて、通常は木材で出来ている天井面に対して額縁を取り付けることが考えられる。
【０００４】
しかし、天井面より吊り下げて簡単且つ安価で額縁を取り付けることが可能な道具は、ホームセンター等の店頭では一般的に多様な種類として販売されてはいない様である。
【０００５】
その一つの道具としては、天井面にフックを取り付けた上で、当該フックにワイヤーの一方の先端を輪にしたものを引っ掛けてワイヤーを支持して吊るした上で、上方向にはワイヤーに沿って移動することが出来るが、下方向には爪部分を引っ張って緩めない限りワイヤーに対して不動である、それ自体に紐を引っ掛けるためのフックが付加された道具（以下「ストッパ）と言う。）が、ワイヤーに付加されているものが、市場で販売されている。
【発明の概要】
【発明が解決しようとする課題】
【０００６】
しかし、その様な天井面から吊り下げたワイヤーに、下方向には不動なストッパが付加されたワイヤーを用いて額縁を取り付けるには、次の様な問題点がある。
【０００７】
即ち、この器具で額縁を取り付けるには、先ず、額縁の裏側に取り付けられた２個のリング状支持具に紐を通した上で、当該紐を上記ワイヤーに取り付けられたストッパに付加されたフックに通して、紐を結ぶこととなる。従って、額縁の取り付け作業の開始時点で、額縁裏側の、三角形状を成す紐の長さは固定されてしまう。その上で、額縁の下端部を壁面に接触させて当該壁面で額縁を支持しつつ、ストッパの爪部分を引っ張りながら額縁裏側のストッパをワイヤーに沿って上下動させることで、額縁を取り付けることになる。その際に、ストッパの止め位置具合に応じて、額縁の壁面からの傾き角度が決められることになる。
【０００８】
従って、額縁の下端部分を壁面に接触させて支持しながら上記の取り付け作業を行うので、額縁は取り付けられる迄は不安定な状態にあり、且つ、その様な不安定な状態の下で、額縁裏側に於いてストッパの爪部分を引っ張りながらストッパの上下移動を行わなければならず、額縁の取り付け作業がし辛いという問題点がある。
【０００９】
しかも、この場合、既に額縁上側に位置する紐の長さが決まってしまっているので、ストッパのワイヤーに沿っての上下移動範囲にも制限が生じることになり、その結果、額縁の壁面に対する傾斜角度も制限されてしまうという問題点もある。
【００１０】
そして、額縁の傾斜角度を比較的大きく設定したい場合には、ストッパをワイヤーに沿って額縁裏側の下端部近くまで移動させなければならなくなり、その際に額縁の下端部の支持は当該下端部分と壁面との線接触により成されることとなり、額縁の取り付けの後に於いても、額縁は不安定な状態を保つことになる。
【００１１】
この発明は、斯かる問題点を克服すべく成されたものであり、その目的は、簡易な構造で以って上下方向及び横方向に調整可能で、壁面には一切接触することなく、天井面に取り付け可能であると共に、額縁の取り付け作業中のみならず、額縁を取り付けた後も額縁が安定した状態で取り付け具に配設・取り付けられていることを可能とする、額縁取り付け具を提供することにある。
【課題を解決するための手段】
【００１２】
本発明の主題に係る額縁取り付け具は、第１取り付け部材と、第２取り付け部材と、前記第１取り付け部材と前記第２取り付け部材とを互いに連結するための連結部材とを備える額縁の取り付け具であり、前記第１取り付け部材は、天板部と、延在部とを備え、前記天板部は、底面と、前記底面の短手方向の中心軸からみて右側部分及び左側部分のそれぞれに配設された貫通孔と、前記各貫通孔を介してビスにより天井面に取り付け可能な上面とを備え、前記延在部は、前記天板部の前記底面の中心部分に結合された上端面と、下端面と、その短手方向の中心軸が前記天板部の前記底面の前記中心軸に対応する様に、前記上端面から前記下端面まで、その長手方向に延在して所定の形状の横断面形状を成す側面部と、前記上端面から前記下端面まで延在した前記所定の形状の空間を成す前記側面部の一方側に所定の中心間ピッチで配設された複数の第１貫通穴と、前記側面部の一方側とで前記所定の形状の空間を挟んだ前記側面部の他方側に、その各々が前記複数の第１貫通穴の各々と対向する様に前記所定の中心間ピッチで配設された複数の第２貫通穴とを備え、前記第２取り付け部材は、矩形板部と、台座板部と、額縁の下端部の一方側部分が載置される上面と、その長手方向の一方の側面の一端部より突出した第１スライド部分とを有する第１額縁支持部と、前記額縁の前記下端部の他方側部分が載置される上面と、前記第１額縁支持部の厚みと同一の厚みと、その長手方向の一方の側面の一端部より突出した第２スライド部分とを有する第２額縁支持部とを備え、前記矩形板部は、少なくとも１個の第３貫通穴を有すると共に、その上端部側から前記所定の形状の空間内に挿入されて前記所定の形状の空間内を上下動可能な厚みを有し、前記台座板部は、前記第１額縁支持部の下面及び前記第２額縁支持部の下面の各々がその上に載置されると共に、前記矩形板部の下端がその中心部の長手方向の一方の側面側部分に固定される上面を有する平面板部と、前記平面板部の前記長手方向の一方の側面に沿って前記平面板部の前記上面より略直角で所定の高さだけ上方に延在した壁面部とを備え、前記矩形板部の前記下端より前記所定の高さだけ上方に延在した部分は、前記壁面部の前記平面板部側の壁面に結合されており、前記壁面部は、前記壁面部に部分的に固定された前記矩形板部の下端部分の左右それぞれの部分に前記平面板部の前記長手方向に沿って貫通配設された第１溝部及び第２溝部を備えており、前記第１額縁支持部は、前記第１スライド部分が前記第１溝部に嵌められることによって可能となる前記第１スライド部分の前記第１溝部内の移動に応じて、前記額縁の前記下端部の前記一方側部分の端の前記平面板部の前記長手方向に於ける位置と、前記第１額縁支持部の短手方向に於ける両側面の内で前記矩形板部に対向していない側面の前記平面板部の前記長手方向に於ける位置とが同一となる様に、前記平面板部の前記長手方向の一方又は他方に沿って、前記平面板部の前記上面上をスライド可能であり、前記第２額縁支持部は、前記第２スライド部分が前記第２溝部に嵌められることによって可能となる前記第２スライド部分の前記第２溝部内の移動に応じて、前記額縁の前記下端部の前記他方側部分の端の前記平面板部の前記長手方向に於ける位置と、前記第２額縁支持部の短手方向に於ける両側面の内で前記矩形板部に対向していない側面の前記平面板部の前記長手方向に於ける位置とが同一となる様に、前記平面板部の前記長手方向の一方又は他方に沿って、前記平面板部の前記上面上をスライド可能であり、前記連結部材は、前記複数の第１貫通穴及び前記第２貫通穴の内で互いに対向し合う貫通穴同士並びに前記第３貫通穴を貫通して前記延在部と前記矩形板部とを一体的に支持可能な第１支持部分と、前記額縁の裏面の２箇所の支持部によって支持された紐の一部を、当該紐の横断面形状が三角形の形状を成す様に、且つ、前記額縁が前記矩形板部の延在方向に対して所定の角度を成す様に、支持する第２支持部分と、前記第１支持部分と第２支持部分とを繋ぐ第３支持部分とを有することを特徴とする。
【発明の効果】
【００１３】
請求項１に係る発明によれば、天板部によって天井面から吊り下げられた延在部に設けられた第１及び第３貫通穴と、延在部の所定の空間内に挿入された矩形板部に設けられた第２貫通穴とが互いに対向し合う様に、延在部と矩形板部との位置調整を行った上で、連結部材の第１支持部分を第１乃至第３貫通穴に貫通させることで、延在部と矩形板部とを  一体化することが出来る。この一体化により、額縁の上下方向の位置を容易に設定することが出来る。この一体化後に、額縁の下端部の一方側部分及び他方側部分のそれぞれが第１及び第２額縁支持部の各上面上に載置されるので、作業者は、額縁を第１及び第２額縁支持部によって安定とした状態で、当該額縁を保持することが出来る。従って、額縁を壁面から離隔した状態に於いて、額縁裏面の２箇所の支持部と連結部材の第２支持部分とで紐を支持しつつ当該紐を結び付ける作業が容易となる。しかも、紐の長さを調整することで、安定した状態にある額縁の傾斜角度を所定の値に調整・設定することが出来る。その状態に於いて、第１及び第２スライド部分の各々は第１及び第２溝部内を移動させられるので、その移動に応じて、第１及び第２額縁支持部も平面板部の長手方向に沿ってスライドする。この第１及び第２額縁支持部の各々のスライドによって、作業者は、容易に、額縁の下端部の一方側部分の端及び他方側部分の端の各々の位置に、第１及び第２額縁支持部の各々の外側の端の位置を合わせることが出来る。よって、第１及び第２スライド部分の左右方向ないしは横方向へのスライドにより、作業者は、額縁を、その正面方向から見て、見栄えの最も良い状態に於いて、第１及び第２額縁支持部により支持することが出来る。以上の様に、額縁の上下方向の調整と、横方向への額縁の配置状態の調整とを行うための本額縁取り付け具の構造は、簡易である。
【００１４】
請求項２に係る発明によれば、延在部と矩形板部との位置調整をより広い範囲で且つより精密に行うことが出来る結果、額縁の上下方向の位置設定範囲を広げてより精密に位置設定を行うことが出来る。
【００１５】
請求項３に係る発明によれば、延在部の所定の空間の幅をより狭くすることが出来るので、延在部の小型化を図ることが出来ると共に、当該空間内に挿入される矩形板部の幅をより狭くすることが出来る結果、矩形板部をより一層薄い板としてその小型化を図ることが出来る。
【００１６】
請求項４に係る発明によれば、簡単な構造の額縁取り付け具を用いて、額縁を、壁面より常に離隔した状態で且つ天井面から吊り下げられる状態で、延在部と矩形板部との一体化を実現して、額縁の上下方向を容易に設定することが出来る。しかも、額縁の下端部を安定的に支持しながら、紐の結び付けによる額縁の傾斜角度の調整を行う工程を容易化することが出来る。加えて、第１及び第２額縁支持部の平面板部の上面上のスライド工程により、左右方向ないしは横方向に於ける額縁の両端のそれぞれの位置を、第１及び第２額縁支持部の左右方向ないしは横方向に於ける両端の内の対応する端の位置と同じくすることが出来るので、額縁の正面側から見て見栄えに優れた額縁の取り付け状態を実現することが出来る。
【００１７】
以下、本発明の様々な具体的な実施の形態を、添付図面を基に、その効果・利点と共に、詳述する。
【図面の簡単な説明】
【００１８】
【図１】第１取り付け部材の構成を示す斜視図である。
【図２】第１及び第２額縁支持部がそれぞれ第１及び第２溝部内に未だ嵌め込まれていない状態に於ける第２取り付け部材の構成を示す斜視図である。
【図３】第１額縁支持部の構成を示す斜視図である。
【図４】第２額縁支持部の構成を示す斜視図である。
【図５】矩形板部の構成を拡大化して示す斜視図である。
【図６】壁面部の第１溝部内に第１額縁支持部の第１スライド部分が嵌め込まれ、且つ、壁面部の第２溝部内に、第２額縁支持部の第２スライド部分が嵌め込まれた状態を示す斜視図である。
【図７】壁面部の第１溝部内に、第１額縁支持部の第１スライド部分が嵌め込まれ、且つ、壁面部の第２溝部内に、第２額縁支持部の第２スライド部分が嵌め込まれた状態に於いて、台座板部を紙面に平行な面で仮に切断した際の横断面図である。
【図８】連結部材の好ましい一例を示す斜視図である。
【図９】連結部材の好ましい他の例を示す平面図である。
【図１０】第１取り付け部材を天井面に取り付ける方法と、その後に額縁の上下方向の位置を決定する方法とを示す縦断面図である。
【図１１】額縁取り付け具に取り付けられる額縁の裏面側の構成を示す平面図である。
【図１２】額縁の上下方向の位置が調整された後に額縁取り付け具に取り付けられた額縁の状態を示す側面図である。
【図１３】第１額縁支持部及び第２額縁支持部のそれぞれを平面板部の長手方向の一方及び他方に沿ってスライドさせている状態を示す正面図である。
【図１４】第１額縁支持部及び第２額縁支持部の各々のスライドが終了した段階での額縁の取り付け状態を示す正面図である。
【図１５】変形例３に係る壁面部の載置状態を示す斜視図である。
【図１６】変形例３に係る壁面部の第１及び第２溝部の各々を形成するための第１及び第２切込み部分を示す平面図である。
【発明を実施するための形態】
【００１９】
（実施の形態１）
【００２０】
＜額縁の取り付け具の部材の構成＞
【００２１】
本実施の形態に係る額縁の取り付け具は、大要、１）第１取り付け部材と、２）第２取り付け部材と、３）連結部材と、４）紐とから成る。これらの内で、連結部材は、上記第１取り付け部材と上記第２取り付け部材とを互いに連結するための部材である。又、紐は、上記連結部材と額縁の裏面側に配設された２箇所の支持部とを、当該紐の横断面形状が三角形状になる様に、互いに結びつけるための部材である。尚、当該紐は、当該額縁の取り付け具専用に用意されたものでも良いし、或いは、専用の紐が備えられていなければ、作業者の自前の紐で代用されても良い。以下では、順次に、１）〜３）の各部材の構成・機能を、該当図面を参照しつつ、記載する。
【００２２】
図１は、第１取り付け部材１の構成を示す斜視図である。図１に示される様に、第１取り付け部材１は、天板部２と、延在部３とから成る。
【００２３】
天板部２は、何れも、その長手方向（Ｘ方向に該当。）に於ける長さ寸法がＬ１であり、且つ、その短手方向（Ｙ方向に該当。）に於ける幅寸法がＷ１である、矩形状の底面２ＢＳ及び上面２ＵＳを有する。しかも、天板部２は、底面２ＢＳ又は上面２ＵＳの短手方向Ｙの中心軸２ＣＡからみて右側部分及び左側部分のそれぞれに配設されて、同部２を貫通する２個の貫通孔２ＰＨ１，２ＰＨ２を有する。これらの貫通孔２ＰＨ１，２ＰＨ２は、ビス（後述する図１０の参照符号１６Ａ，１６Ｂを参照。）によって天板部２の上面２ＵＳを天井面（図１０の参照符号１５Ｓを参照。）に取り付けるための貫通孔である。尚、図１では、典型的な配置の一例として、２個の貫通孔２ＰＨ１，２ＰＨ２は、中心軸２ＣＡに関して、線対称な位置に配設されている。２個の貫通孔２ＰＨ１，２ＰＨ２の位置は、それぞれが中心軸２ＣＡからみて右側部分及び左側部分にある限りにおいては、任意である。
【００２４】
他方、延在部３は、天板部２の底面２ＢＳの中心部分に結合された上端面３ＵＥと、下端面３ＬＥとを有する。本例では、上端面３ＵＥ及び下端面３ＬＥの各々の横断面（中心軸２ＣＡを含むＸＹ面）の形状は、所定の形状の一つとして、Ｕ字型形状である。そして、延在部３の、上端面３ＵＥ及び下端面３ＬＥ間の側面部３ＳＳは、その短手方向の中心軸が天板部２の底面２ＢＳの中心軸２ＣＡに対応する様に、上端面３ＵＥから下端面３ＬＥまで、その長手方向（Ｚ方向）に沿って延在しており、本例では、所定の形状の一例として、Ｕ字型形状の横断面を有している。従って、延在部３の側面部３ＳＳの内で互いに向き合った部分３ＳＳ１，３ＳＳ２同士は、上端面３ＵＥから下端面３ＬＥまで延在する、横断面形状がＵ字型形状である空間を形成している。その空間のＸ方向に於ける最大幅は、図１の例では、幅Ｔ１として表されている。
【００２５】
更に、延在部３は、側面部３ＳＳの内で互いに向き合った部分の一方側３ＳＳ１に、所定の中心間ピッチｐ（例えば中心間ピッチｐは５ｃｍ）で配設された複数個（本例では６個）の第１貫通穴３ＰＨ１を有する。加えて、延在部３は、側面部３ＳＳの内で互いに向き合った部分の他方側３ＳＳ２に、所定の中心間ピッチｐ（例えば中心間ピッチは５ｃｍ）で配設された複数個（本例では６個）の第２貫通穴３ＰＨ２を有する。そして、図１に示す様に、第１貫通穴３ＰＨ１の各々は、第２貫通穴３ＰＨ２の各々と対向配置されている。
【００２６】
図２は、後述する第１及び第２額縁支持部がそれぞれ後述する第１及び第２溝部内に未だ嵌められていない状態に於ける第２取り付け部材４の構成を示す斜視図である。図２の状態に於いては、第２取り付け部材４は、台座板部５と、矩形板部７とを有する。
【００２７】
又、図３は、第１額縁支持部８の構成例を示す斜視図である。又、図４は、第２額縁支持部９の構成例を示す斜視図である。
【００２８】
図３に示す通り、第１額縁支持部８は、その長手方向（Ｘ方向）に於ける長さがＬ４であり、その短手方向（Ｙ方向）に於ける長さが幅Ｗ５（幅Ｗ５の寸法は、図２の台座板部５の平面板部５Ｐの幅Ｗ３の寸法と同一か或いは幅Ｗ３の寸法よりも若干小さい寸法である。）であり、その厚み方向（Ｚ方向）に於ける長さが厚みｔ２である、矩形型の板部材である。そして、第１額縁支持部８は、額縁の下端部の一方側部分がその上に載置される上面８ＵＳと、平面板部５Ｐの上面５ＵＳと面接触してその上に配置される下面８ＬＳと、その長手方向Ｘの一方の側面８ＳＳ１の一端部８ＳＳ１Ｐより突出した第１スライド部分８ＳＬとを有する。又、第１額縁支持部８の短手方向Ｙに於ける、互いに対向する両側面８ＳＳ３，８ＳＳ４の内で、図２の矩形板部７側に面した一方の側面は側面８ＳＳ３であり、その反対側の他方の側面が、側面８ＳＳ４である。
【００２９】
ここで、第１スライド部分８ＳＬは、その長手方向Ｘに於ける側面８ＳＳ１Ｐの長さがＬ５であり、その短手方向Ｙに於ける幅がＷ３であり、その厚み方向Ｚに於ける厚みがｔ２である、Ｙ方向に突出した矩形型の板部である。尚、図３の第１額縁支持部８及び第１スライド部分８ＳＬの形状は典型的な一例であり、それらの各々の形状は矩形型に限られない。
【００３０】
第１額縁支持部８と同様に、図４に示される第２額縁支持部９は、その長手方向（Ｘ方向）に於ける長さがＬ６であり、その短手方向（Ｙ方向）に於ける長さが幅Ｗ６（幅Ｗ６の寸法は、図２の台座板部５の平面板部５Ｐの幅Ｗ３の寸法と同一か或いは幅Ｗ３の寸法よりも若干小さい寸法である。）であり、その厚み方向（Ｚ方向）に於ける長さが厚みｔ３である、矩形型の板部材である。そして、第２額縁支持部９は、上記額縁の下端部の他方側部分がその上に載置される上面９ＵＳと、平面板部５Ｐの上面５ＵＳと面接触してその上に配置される下面９ＬＳと、その長手方向Ｘの一方の側面９ＳＳ１の一端部９ＳＳ１Ｐより突出した第２スライド部分９ＳＬとを有する。又、第２額縁支持部９の短手方向Ｙに於ける、互いに対向する両側面９ＳＳ３，９ＳＳ４の内で、図２の矩形板部７側に面した一方の側面は側面９ＳＳ３であり、その反対側の他方の側面が、側面９ＳＳ４である。
【００３１】
ここで、第２スライド部分９ＳＬは、その長手方向Ｘに於ける側面９ＳＳ１Ｐの長さがＬ７であり、その短手方向Ｙに於ける幅がＷ４であり、その厚み方向Ｚに於ける厚みがｔ３である、Ｙ方向に突出した矩形型の板部である。尚、図３の場合と同じく、図４の第２額縁支持部９及び第２スライド部分９ＳＬの形状は典型的な一例であり、それらの各々の形状は矩形型に限られない。
【００３２】
尚、後述する様に、額縁の下端部の一方側部分が第１額縁支持部８の上面８ＵＳ上に載置され、且つ、上記額縁の下端部の他方側部分が第２額縁支持部９の上面９ＵＳ上に載置されるので、その際に額縁の下端部分が平面板部５Ｐの上面５ＵＳに対して傾かずに上面５ＵＳとの平行性が保たれる様にする必要性から、厚みｔ２は厚みｔ３と等しくなる様に（ｔ２＝ｔ３）、両厚みｔ２、ｔ３が設定されている。
【００３３】
再び図２を参照して、台座板部５は、平面板部５Ｐと、壁面部６とから成る。
【００３４】
それらの内で、平面板部５Ｐは、その長手方向Ｘに於ける長さがＬ３であり、その短手方向Ｙに於ける幅がＷ３であり、その厚み方向Ｚに於ける厚みがｔ１である矩形型の板部である。そして、平面板部５Ｐの上面５ＵＳの内でその中心部５ＵＳＣから見て（図２の紙面の上方から見て）右側部分には、図３の第１額縁支持部８の下面８ＬＳが載置される。他方、平面板部５Ｐの上面５ＵＳの内でその中心部５ＵＳＣから見て（図２の紙面の上方から見て）左側部分には、図４の第２額縁支持部９の下面９ＬＳが載置される。又、平面板部５Ｐの上面５ＵＳの内であって、且つ、上記の中心部５ＵＳＣ近傍領域の内で、その長手方向Ｘの一方の側面５ＳＳ１側の部分には、上面５ＵＳに対して垂直に立設される様にＺ方向に延在する矩形板部７の、下端ＬＥが固定されている。
【００３５】
他方、壁面部６は、平面板部５Ｐの長手方向Ｘの一方の側面５ＳＳ１に沿って、平面板部５Ｐの上面５ＵＳから略直角で所定の高さＬ２だけ上方向（Ｚ方向）に延在する様に、平面板部５Ｐの一方の側面５ＳＳ１上に固定されている。そのため、矩形板部７の４つの側面の内の一つの側面７ＳＳ１の内で、その下端ＬＥから所定の高さＬ２まで上方に延在した下端部分７ＳＳ１Ｐは、壁面部６の平面板部５Ｐ側の壁面６ＳＳ１に結合されている。そのため、矩形板部７は、下端部分７ＳＳ１Ｐを介して壁面部６と一体となっており、単独では不動の状態にある。尚、壁面部６は、図２の本例では、その左右端部分が共に斜面形状となる様に形成されているが、同部６の左右端部分の形状はこれに限られる訳ではなく、任意の形状を有していれば良い。
【００３６】
又、図２に示す様に、壁面部６に部分的に固定された矩形板部７の下端部分７ＳＳ１Ｐの、紙面上方から見て右側の壁面部６の部分には、当該壁面部６を貫通する貫通孔としての第１溝部１０が、平面板部５Ｐの長手方向Ｘに沿って形成されている。この第１溝部１０の長手方向Ｘに於ける長さは（Ｒ１＋Ｌ５）である（後述する図７を参照。）。又、第１溝部１０の短手方向Ｚに於ける幅はｔ４であり、幅ｔ４は、図３の第１スライド部分８ＳＬの厚みｔ２と同一か、或いは、厚みｔ２よりも若干大きい。要は、第１スライド部分８ＳＬが第１溝部１０内に嵌められ（嵌合又は遊嵌）且つＸ方向に沿ってスライド可能となる様に、幅ｔ４の寸法が厚みｔ２との関係で設定されれば良い。又、第１溝部１０の深さ方向Ｙに於ける深さはＷ７であり、深さＷ７は、第１スライド部分８ＳＬの幅Ｗ３と同一か、或いは、幅Ｗ３よりも若干小さな寸法である。要は、第１スライド部分８ＳＬが第１溝部１０から容易に抜け落ちない様に、深さＷ７が幅Ｗ３との関係で設定されれば良い。
【００３７】
又、図２に示す様に、壁面部６に部分的に固定された矩形板部７の下端部分７ＳＳ１Ｐの、紙面上方から見て左側の壁面部６の部分にも、当該壁面部６を貫通する貫通孔としての第２溝部１１が、平面板部５Ｐの長手方向Ｘに沿って形成されている。この第２溝部１１の長手方向Ｘに於ける長さは（Ｒ２＋Ｌ７）である（後述する図７を参照。）。又、第２溝部１１の短手方向Ｚに於ける幅はｔ５であり、幅ｔ５は、図４の第２スライド部分９ＳＬの厚みｔ３と同一か、或いは、厚みｔ３よりも若干大きい。要は、第２スライド部分９ＳＬが第２溝部１１内に嵌められ（嵌合又は遊嵌）且つＸ方向に沿ってスライド可能となる様に、幅ｔ５の寸法が厚みｔ３との関係で設定されれば良い。又、第２溝部１１の深さ方向Ｙに於ける深さはＷ８であり、深さＷ８は、第２スライド部分９ＳＬの幅Ｗ４と同一か、或いは、幅Ｗ４よりも若干小さな寸法である。要は、第２スライド部分９ＳＬが第２溝部１１から容易に抜け落ちない様に、深さＷ８が幅Ｗ４との関係で設定されれば良い。
【００３８】
尚、第１溝部１０の長手方向Ｘに沿った下面及び第２溝部１１の長手方向Ｘに沿った下面が共に、平面板部５Ｐの下面５ＬＳから同部５Ｐの厚みｔ１だけ上方に位置して平面視に於いて上面５ＵＳと同一面となる様に、第１及び第２溝部１０，１１の下面の位置を設定しなければならない。即ち、第１溝部１０の上記下面及び第２溝部１１の上記下面の各々と、平面板部５Ｐの上面５ＵＳとの間に段差が生じない様に、第１溝部１０及び第２溝部１１の各々の上記下面の下面５ＬＳからの高さを厚みｔ１と等しく成る様に当該高さを設定する。
【００３９】
又、本実施の形態の一例は、典型的な構成例を示しており、以下の関係が成立する様に、各部材の寸法が設定されている。即ち、ｔ４＝ｔ５、Ｗ５＝Ｗ６、Ｗ７＝Ｗ８、Ｌ５＝Ｌ７、（Ｒ１＋Ｌ５）＝（Ｒ２＋Ｌ７）、Ｒ１＝Ｒ２である。勿論、本実施の形態に係る他の構成例は、これらの寸法設定関係に限定されるものではない。
【００４０】
図５は、図２の矩形板部７の構成を拡大化して示す斜視図である。矩形板部７は、その長手方向Ｚに沿って、当該長手方向Ｚに延在する互いに対向する側面７ＳＳ３，７ＳＳ４を貫通する６個の第３貫通穴７ＰＨを有する。本例では、第３貫通穴７ＰＨの数は６個であるが、その数は少なくとも１個であれば良い。第３貫通穴７ＰＨの各々の厚み方向Ｘに沿った中心軸７ＰＨＡは、矩形板部７の短手方向Ｙの中央部を通る軸であり、隣り合う第３貫通穴７ＰＨの中心軸間ピッチはｐ（例えば５ｃｍ）である。従って、第３貫通穴７ＰＨの中心軸間ピッチｐは、図１に関して既述した第１貫通穴３ＰＨ１及び第２貫通穴３ＰＨ２の各々の中心間ピッチｐと等しい。そして、複数の第３貫通穴７ＰＨの内で矩形板部７の下端ＬＥに最も近い第３貫通穴７ＰＨ１の中心軸７ＰＨＡから、矩形板部７の内で壁面部６の壁面６ＳＳ１に結合された延在部分（下端ＬＥより所定の高さＬ２だけ上方に延在した部分）までの長手方向Ｚに関する長さは、所定の間隔Ｌ８である。
【００４１】
又、矩形板部７の厚み方向Ｘに於ける厚みＴ２は、第１取り付け部材１の延在部３のＵ字型形状の空間の最大幅Ｔ１（図１参照。）よりも小さく設定されている（Ｔ２＜Ｔ１）。この厚み関係の設定により、矩形板部７の上端部ＵＥから第１取り付け部材１の延在部３のＵ字型形状の空間内に矩形板部７を挿入することで、当該Ｕ字型形状の空間内をＺ方向に沿って矩形板部７を上下動させることが出来る（後述する図１０参照。）。
【００４２】
図６は、壁面部６の第１溝部１０内に、第１額縁支持部８の第１スライド部分８ＳＬが嵌合又は遊嵌され、且つ、壁面部６の第２溝部１１内に、第２額縁支持部９の第２スライド部分９ＳＬが嵌合又は遊嵌された状態を示す斜視図である。図６に示される通り、第１額縁支持部８の下面８ＬＳの一部が、平面板部５Ｐの上面５ＵＳの内で、中心軸５ＵＳＣから見て右側の面部分上に載置されており、且つ、第２額縁支持部９の下面９ＬＳの一部が、平面板部５Ｐの上面５ＵＳの内で、中心軸５ＵＳＣから見て左側の面部分上に載置されている。本例では、第１スライド部分８ＳＬの幅Ｗ３及び第２スライド部分９ＳＬの幅Ｗ４が、それぞれ、第１溝部１０の深さＷ７及び第２溝部１１の深さＷ８よりも若干大きい値を有する。
【００４３】
又、図７は、壁面部６の第１溝部１０内に、第１額縁支持部８の第１スライド部分８ＳＬが嵌合又は遊嵌され、且つ、壁面部６の第２溝部１１内に、第２額縁支持部９の第２スライド部分９ＳＬが嵌合又は遊嵌された状態に於いて、台座板部５を紙面に平行な面で仮に切断した際の横断面を示す図である。但し、図７に於いては、第１溝部１０内の矩形板部７側に位置する側面に、紙面上方から見て、第１スライド部分８ＳＬの短手方向に於ける左側の側面が接する様に、第１額縁支持部８が、平面板部５Ｐの上面５ＵＳの右側の面上に載置されている。同様に、第２溝部１１内の矩形板部７側に位置する側面に、紙面上方から見て、第２スライド部分９ＳＬの短手方向に於ける右側の側面が接する様に、第２額縁支持部９が、平面板部５Ｐの上面５ＵＳの左側の面上に載置されている。
【００４４】
従って、第１スライド部分８ＳＬが第１溝部１０内を＋Ｘ方向に又は−Ｘ方向に摺動（嵌合状態：ｔ２＝ｔ４）ないしは遊びを持って移動（遊嵌状態：ｔ２はｔ４よりも若干小さい場合。）出来る最大の距離はＲ１である。ここで、第１スライド部分８ＳＬの摺動又は遊びを持っての移動のことを、共に「移動又はスライド」すると定義する。又、第２スライド部分９ＳＬが第２溝部１１内を＋Ｘ方向に又は−Ｘ方向に摺動（嵌合状態：ｔ３＝ｔ５）ないしは遊びを持って移動（遊嵌状態：ｔ３はｔ５よりも若干小さい場合。）出来る最大の距離はＲ２である。同様に、第２スライド部分９ＳＬの摺動又は遊びを持っての移動のことを、共に「移動又はスライド」すると定義する。よって、第１溝部１０の長手方向Ｘに於ける長さは（Ｒ１＋Ｌ５）であり、第２溝部１１の長手方向Ｘに於ける長さは（Ｒ２＋Ｌ７）である。
【００４５】
そして、例えば図６に示される状態に於いて、後述する方法により額縁の上下方向の位置が決定された後に、第１額縁支持部８の上面８ＵＳ上に、額縁の下端部の一方側部分が載置され、且つ、第２額縁支持部９の上面９ＵＳ上に、額縁の下端部の他方側部分が載置されることとなる。その上で、第１スライド部分８ＳＬを、＋Ｘ方向に又は−Ｘ方向に第１溝部１０内を移動又はスライドさせることにより、当該スライドの移動量に応じて、第１額縁支持部８が＋Ｘ方向に又は−Ｘ方向に上面５ＵＳ上をスライドする。又、第２スライド部分９ＳＬを、＋Ｘ方向に又は−Ｘ方向に第２溝部１１内を移動又はスライドさせることにより、当該スライドの移動量に応じて、第２額縁支持部９が＋Ｘ方向に又は−Ｘ方向に上面５ＵＳ上をスライドする。
【００４６】
図８は、第１取り付け部材１と第２取り付け部材４とを互いに連結させるための連結部材１２の好ましい一例を示す斜視図である。図８に於いて、連結部材１２は、３つの部分より成る。
【００４７】
即ち、連結部材１２の細い丸棒状ないしはピン形状の第１支持部分１２Ａは、複数の第１貫通穴３ＰＨ１及び複数の第２貫通穴３ＰＨ２の内で互いに対向し合う貫通穴同士を、並びに、複数の第３貫通穴７ＰＨ１の内で、対向し合う一組の第１及び第２貫通穴同士と対向する第３貫通穴を貫通して、延在部３と矩形板部７とを一体的に支持する部分である。従って、第１支持部分１２Ａの直径１２Ｒは、各貫通穴３ＰＨ１，７ＰＨ，３ＰＨ２の直径よりも小さい。又、連結部材１２の第２支持部分１２Ｂは、フック形状部分を有している。即ち、同部１２Ｂは、額縁の裏面の２箇所の支持部（後述する図１１を参照。）のリング内に通されて両支持部により支持された紐の一部を、当該紐が結ばれた後の横断面の形状が三角形の形状を成す様に、且つ、額縁が矩形板部７の延在方向Ｚに対して所定の角度θ（後述する図１２を参照。）を成す様に、上記フック形状により支持する部分である。又、連結部材１２の第３支持部分１２Ｃは、第１及び第２支持部分１２Ａ，１２Ｂを連結させるための湾曲形状の繋ぎ部分である。又、第１支持部分１２Ａの先端部は、参照符号１２ＡＰとして示されている。尚、第１支持部分１２Ａの形状は、本例の様な、その縦断面形状が円形である形状に限定されるものではなく、要は、３個の貫通穴３ＰＨ１，７ＰＨ，３ＰＨ２の全てを貫通し得るものであれば、その形状は任意である。
【００４８】
又、図９は、連結部材１２の好ましい他の一例を示す斜視図である。連結部材１２Ｘは、例えば長めのクリップから成り、当該クリップを図９に示す様に変形させることで得られる。この場合、連結部材１２Ｘは、図８の第１支持部分１２Ａ、第２支持部分１２Ｂ、第３支持部分１２Ｃ、先端部１２ＡＰにそれぞれ対応する部分１２ＸＡ，１２ＸＢ，１２ＸＣ，１２ＸＰを有する。又、第１支持部分１２ＸＡの直径１２ＸＲは、各貫通穴３ＰＨ１，７ＰＨ，３ＰＨ２の直径よりも小さい。
【００４９】
＜額縁の取り付け具を用いた額縁の取り付け方法＞
【００５０】
１．ステップ１
【００５１】
図１０は、第１取り付け部材１を天井面１５Ｓに取り付ける方法と、その後に額縁の上下方向の位置を決定する方法とを示す縦断面図である。
【００５２】
先ず、図１０に於いて、木材より成る天井１５の天井面１５Ｓより天井１５の内部に向けて、雌ねじがその側面に形成された非貫通の第１及び第２雌ねじ穴１５Ｈ１，１５Ｈ２を形成する。この際、第１雌ねじ穴１５Ｈ１のＺ方向に於ける中心軸と、第２雌ねじ穴１５Ｈ２のＺ方向に於ける中心軸との間のピッチは、天板部２の両貫通孔２ＰＨ１，２ＰＨ２の中心軸間ピッチと等しくなる様に、第１及び第２雌ねじ穴１５Ｈ１，１５Ｈ２を形成する。
【００５３】
その上で、天井１５の第１及び第２雌ねじ穴１５Ｈ１，１５Ｈ２の各々の中心軸が、天板部２の対応する貫通孔２ＰＨ１，２ＰＨ２の中心軸と一致する様に、天井面１５Ｓに対して天板部２の位置決めを行う。その状態において、貫通孔２ＰＨ１を介して、その側面に雄ねじが形成された第１ビス１６Ａを第１雌ねじ穴１５Ｈ１と螺合させ、同様に、貫通孔２ＰＨ２を介して、その側面に雄ねじが形成された第２ビス１６Ｂを第２雌ねじ穴１５Ｈ２と螺合させる。この螺合により、天板部２の上面２ＵＳが天井面１５Ｓと面接触して、天板部２が天井面１５Ｓに取り付けられる。その結果、第１取り付け部材１は天井面１５Ｓから吊り下げられた状態と成る。
【００５４】
２．ステップ２
【００５５】
図５に示す各寸法Ｌ２，Ｌ８は既知であり、且つ、第１乃至第３貫通穴３ＰＨ１，７ＰＨ，３ＰＨ２の各ピッチｐ（例えば５ｃｍ）の値も既知である。従って、取り付けるべき額縁が決まり、その結果、当該額縁の長手方向に於ける縦寸法が決まるならば、当該額縁の上下方向に於ける位置が定まる。即ち、天井面１５Ｓより下方に吊り下げられた延在部３の複数の第１貫通穴３ＰＨ１と複数の第２貫通穴３ＰＨ２との内で、図８の連結部材１２の第１支持部分１２Ａの先端部１２ＡＰをその穴内に通すべき一組の第１及び第２貫通穴３ＰＨ１，３ＰＨ２が決まる。以下、便宜上、この一組の第１及び第２貫通穴３ＰＨ１，３ＰＨ２を支持用第１及び第２貫通穴３ＰＨ１，３ＰＨ２と称することとする。
【００５６】
そこで、作業者は、図５の矩形板部７を、その上端部ＵＥ側から、延在部３の側面部３ＳＳによって形成された横断面形状がＵ字型形状の空間内に挿入して当該Ｕ字型形状の空間内を上下動させる。この場合の矩形板部７の上下移動は、同部７の複数の第３貫通穴７ＰＨの内で適切な穴と決定された第３貫通穴７ＰＨ（以下では、支持用第３貫通穴７ＰＨという。）が、支持用第１及び第２貫通穴３ＰＨ１，３ＰＨ２と対向する様に、行われる。そして、３つの支持用貫通穴３ＰＨ１，７ＰＨ，３ＰＨ２が互いに対向し合う様になった位置に於いて、作業者は矩形板部７の上下移動を終える。その状態を保ったままで、作業者は、連結部材１２の先端部１２ＡＰを順次に各支持用貫通穴３ＰＨ１，７ＰＨ，３ＰＨ２に通していくことで、連結部材１２の第１支持部分１２Ａを支持用貫通穴３ＰＨ１，７ＰＨ，３ＰＨ２の各穴を通す。図１０は、このときの状態を示す。図１０の例では、上から数えて第４番目の第１貫通穴３ＰＨ１と、上から数えて第２番目の第３貫通穴７ＰＨと、上から数えて第４番目の第２貫通穴３ＰＨ２とを、連結部材１２の第１支持部分１２Ａが貫通して延在部３の側面部３ＳＳより外側に突出している。この連結作業により、天井面１５Ｓに固定されている延在部３に対して、連結部材１２を介して、矩形板部７が一体的に取り付けられる。即ち、天井面１５Ｓより吊り下げられた第１取り付け部材１に対して、図６に示される状態の第２取り付け部材４が一体的に取り付けられる。この場合、後述する図１２に示される通り、第２取り付け部材４は、壁１７の壁面１７Ｓから一定の距離だけ隔てて離隔された状態にある。
【００５７】
ここで、延在部３のＹ方向に於ける横断面形状は、既述したＵ字型形状である。そのため、予め用意した矩形板（図示せず。）を、その真ん中を中心にして、当該真ん中部分の外形が円形を成す様に折り曲げることによって、製造上容易に、その横断面形状がＵ字型形状を成す延在部３を形成することが出来る。しかも、延在部３の横断面形状がＵ字型形状と成る様に上記矩形板を折り曲げれば良いので、延在部３のＵ字型空間の最大幅Ｔ１がより小さくなる様に、延在部３を形成することが出来る。そのため、延在部３のＵ字型空間内に上端部ＵＥ側から挿入される矩形板部７の厚みＴ２をより小さな値とすることが可能となり、矩形板部７をより薄い板部とすることが出来る。これらの利点は、延在部３及び矩形板部７の小型化や低コスト化をもたらし得る。
【００５８】
３．ステップ３
【００５９】
図１１は、壁面１７Ｓ（図１２）から離隔された状態に於いて、本実施の形態に係る額縁取り付け具に取り付けられる額縁１８の裏面側を示す平面図である。額縁１８の裏面の長手方向に沿った左右端部の各々には、紐１３がそのリング内に通されるリング形状の支持部１９，２０が設けられている。又、額縁１８の裏板２２が開くのを防止する裏板支持部２１Ａ，２１Ｂ，２１Ｃ，２１Ｄも、設けられている。そして、額縁１８の下端部１８ＬＥの一方側部分が１８ＬＥ１であり、下端部１８ＬＥの他方側部分が１８ＬＥ２である。
【００６０】
額縁１８の上下方向の位置が調整された後に、作業者は、額縁１８の下端部１８ＬＥの一方側部分１８ＬＥ１を、平面板部５Ｐの上面５ＵＳ上に載置された第１額縁支持部８の上面８ＵＳに載置すると共に、額縁１８の下端部１８ＬＥの他方側部分１８ＬＥ２を、上面５ＵＳ上に載置された第２額縁支持部９の上面９ＵＳに載置して、額縁１８の下端部１８ＬＥを台座板部５によって支持する。
【００６１】
４．ステップ４
【００６２】
その上で、作業者は、額縁１８の裏面の２箇所の支持部１９，２０及び連結部材１２の第２支持部分１２Ｂによって、紐１３の横断面形状が三角形の形状を成す様に、紐１３を支持しつつ、額縁１８の長手方向に於ける中心軸１４が矩形板部７の延在方向Ｚに対して作業者が希望する所定の角度θを成す様に、紐１３の長さを調整して紐１３を結ぶ。
【００６３】
図１２は、作業者が紐１３を結び終えた段階での、額縁１８の状態を示す側面図である。但し、図１２では、便宜上、天井１５及び壁１７は、その縦断面形状として、表示されている。図１２に示す様に、延在部３と矩形板部７とを連結する連結部材１２の第２支持部分１２Ｂは、結び付けられた紐１３を介して、額縁１８の中心軸１４が矩形板部７の延在方向Ｚに対して所定の角度θを成す状態で、額縁１８を支持している。この場合、作業者は、紐１３を三角形状に結び付けるに際して紐１３の長さを適宜に調整することで、額縁の傾斜角度θを容易に調整することが出来る。しかも、額縁１８の下端部１８ＬＥは、第１及び第２額縁支持部８，９の上面８ＵＳ，９ＵＳに線接触する態様で、第１及び第２額縁支持部８，９の上面８ＵＳ，９ＵＳによって支持されている。従って、額縁１８は、額縁１８の上下方向の高さ位置が調整・設定された上で天井面１５Ｓから下方に吊り下げられた本例の額縁取り付け具に取り付けられた状態に於いては、左右方向及び上下方向に動くことなく、即ち、位置ずれを起こすこと無く、安定した状態で、壁面１７Ｓに接触することなく、支持されている。換言すれば、額縁１８は、連結部１２の第２支持部分１２Ｂと第１及び第２額縁支持部８，９とによって不動状態で安定して支持されているため、作業者は、容易に且つ短時間で、紐１３の長さを調整した上で紐１３を結び、以って、額縁１８の傾斜角度θを調整・設定することが出来る。
【００６４】
５．ステップ５
【００６５】
額縁１８の上下方向Ｚの位置及び傾斜角度θが定まって額縁１８が安定して本例の額縁取り付け具によって支持ないしは保持された後は、作業者は、第１額縁支持部８及び第２額縁支持部９の各々のスライドを利用して、第１額縁支持部８及び第２額縁支持部９の左右方向ないしは＋Ｘ方向又は−Ｘ方向に於ける位置調整を行う。
【００６６】
先ず、作業者は、第１スライド部分８ＳＬを第１溝部１０内で移動させることで、第１額縁支持部８を、同部８の上面８ＵＳと額縁１８の下端部１８ＬＥの一方側部分１８ＬＥ１との線接触を保ちつつ、平面板部５Ｐの長手方向Ｘに沿ってスライドさせる。このスライド状態を正面図として示す図が、図１３である。但し、図１３に於いては、天井１５をその縦断面形状として表している。又、図１３の例では、第１額縁支持部８を平面板部５Ｐの長手方向の一方向＋Ｘに沿ってスライドさせている状態が示されている。
【００６７】
そして、作業者は、第１額縁支持部８の短手方向Ｙに於ける両側面８ＳＳ３，８ＳＳ４中の他方側の側面８ＳＳ４が、額縁１８の長手方向Ｚに於ける両側面１８ＳＳ１，１８ＳＳ２中の一方側（＋Ｘ方向側）の側面１８ＳＳ１の下部の位置に来た段階で、第１額縁支持部８のスライドを終了させる。このスライド状態の調整により、作業者は、額縁１８を正面側から見た場合に於いては、額縁１８の側面１８ＳＳ１の下部の＋Ｘ方向に於ける位置と、第１額縁支持部８の他方側の側面８ＳＳ４の＋Ｘ方向に於ける位置とが重なっている様な状態を実現することが出来る。このときの状態を示す正面図が、図１４である。但し、図１４に於いても、便宜上、天井１５は縦断面形状として示されている。
【００６８】
６．ステップ６
【００６９】
次に、作業者は、第２スライド部分９ＳＬを第２溝部１１内で移動させることで、第２額縁支持部９を、同部９の上面９ＵＳと額縁１８の下端部の他方側部分１８ＬＥ２との線接触を保ちつつ、平面板部５Ｐの長手方向Ｘに沿ってスライドさせる。この第２額縁支持部９のスライド状態を示す正面図が、既述した図１３である。但し、図１３の例では、第２額縁支持部９を平面板部５Ｐの長手方向の他方向−Ｘに沿ってスライドさせている状態が示されている。
【００７０】
そして、作業者は、第２額縁支持部９の短手方向Ｙに於ける両側面９ＳＳ３，９ＳＳ４中の他方側の側面９ＳＳ４が、額縁１８の長手方向に於ける両側面１８ＳＳ１，１８ＳＳ２中の他方側（−Ｘ方向側）の側面１８ＳＳ２の下部の位置に来た段階で、第２額縁支持部９のスライドを終了させる。このスライド状態の調整により、作業者は、額縁１８を正面側から見た場合に於いては、額縁１８の他方側の側面１８ＳＳ２の下部の−Ｘ方向に於ける位置と、第２額縁支持部９の他方側の側面９ＳＳ４の−Ｘ方向に於ける位置とが重なっている様な状態を実現することが出来る。このときの状態を示す正面図が、既述した図１４である。
【００７１】
以上の各ステップを作業者が行うことで、額縁１８を容易に且つ短時間で本例の額縁取り付け具に取り付けることが出来る。
【００７２】
＜本実施の形態による利点＞
【００７３】
本実施の形態に係る額縁取り付け具を用いて額縁を取り付ける場合には、天井面より吊り下げられ且つ壁面より離隔した当該額縁取り付け具に対して額縁が取り付けられるため、額縁全体が常に壁面に一切接触することなく、額縁を安定した状態で容易に取り付けることが可能となる。
【００７４】
より詳述すれば、天板部２の上面２ＵＳを天井面１５Ｓにビス止めすることにより、その側面部３ＳＳの一方側３ＳＳ１及び他方側３ＳＳ２に、対向し合う複数の第１及び第３貫通穴３ＰＨ１，３ＰＨ２が形成された延在部３を、天板部２の中央部分から吊り下げることが出来る。その結果、側面部３ＳＳの一方側３ＳＳ１と他方側３ＳＳ２とで挟まれた、横断面形状がＵ字型形状の空間を、天井面１５Ｓから上下方向に延在させることが出来る。従って、横断面形状がＵ字型形状の空間の幅Ｔ１がより狭く加工された延在部３を用いることにより、延在部３の上記空間に挿入される矩形板部７をより薄い板部とすることが可能となり、矩形板部７に形成された第２貫通穴７ＰＨを第１及び第３貫通穴３ＰＨ１，３ＰＨ２に互いに対向し合わせることがより容易となる。その結果、連結部１２の第１支持部１２Ａを、互いに対向し合う第１、第２及び第３貫通穴３ＰＨ１，７ＰＨ，３ＰＨ２に通して延在部３と矩形板部７とを一体化することが容易となり、額縁１８の上下方向の位置を容易に決定することが出来る。この場合、第２貫通穴７ＰＨの数が２個以上である場合には、第２貫通穴７ＰＨを第１及び第３貫通穴３ＰＨ１，３ＰＨ２の一組に互いに対向し合わせる選択肢が増えるので、額縁１８の上下方向の位置調整の範囲を拡大させることが可能となる。
【００７５】
そして、額縁１８の上下方向の位置調整後に、額縁１８の下端部１８ＬＥの一方側部分１８ＬＥ１及び他方側部分１８ＬＥ２はそれぞれ第１及び第２額縁支持部８，９の上面上に載置されるので、額縁１８は、壁面１７Ｓから離れた状態で、第１及び第２額縁支持部８，９によって安定的に支持されることになる。従って、額縁１８は、上下方向及び左右（横）方向に位置ずれを起こすことなく、安定した状態となる。この額縁１８の安定状態の下で、紐１３を取り付けて結ぶ作業が行われるので、斯かる作業を容易に行うことが出来る。しかも、額縁１８が安定して支持されて不動の状態にある段階において、三角形状を成す紐１３の長さを調整して結ぶので、額縁１８の傾斜角度θを望ましい値に容易に調整・設定することが出来る。
【００７６】
しかも、第１及び第２額縁支持部８，９は、それぞれ額縁１８の下端部１８ＬＥの一方側部分１８ＬＥ１及び他方側部分１８ＬＥ２との線接触を保ちながら、平面板部５Ｐの上面５ＵＳ上を左右にスライドすることが出来る。このため、額縁１８を正面側から見た状態において、額縁１８の長手方向の一方及び他方の側面１８ＳＳ１，１８ＳＳ２の下端部の長手方向Ｘに於ける位置を、それぞれ第１及び第２額縁支持部８，９の短手方向の外側側面８ＳＳ４，９ＳＳ４の長手方向Ｘに於ける位置と重ね合わすことが、容易に実現され得る。従って、額縁１８を正面側から見た状態において、額縁１８の取り付け作業終了後の額縁１８の取り付け状態の「見た目」を好ましい状態とすることが可能となる。
【００７７】
以上の通り、本実施の形態に係る額縁取り付け具は、その構造は作業性に富んだ簡易な構造を有しており、壁に取り付けるための穴を一切設けることなく、取り付け作業中の額縁の支持状態を安定化させたままで、天井面から吊るした状態で且つ壁面から離隔した状態に於いて、額縁の取り付け作業を容易に行うことを可能とする。
【００７８】
（変形例１）
【００７９】
実施の形態１では、第１乃至第３貫通穴３ＰＨ１，７ＰＨ，３ＰＨ２の長手方向に関する縦断面形状が円形となる貫通穴が、第１乃至第３貫通穴３ＰＨ１，７ＰＨ，３ＰＨ２として採用されている。しかしながら、連結部１２の第１支持部１２Ａが貫通し得る穴形状を有する物であるならば、第１乃至第３貫通穴の各々の長手方向に関する縦断面形状は任意である。この変形例の場合であっても、容易に延在部と矩形板部とを一体的に連結することが可能である。
【００８０】
（変形例２）
【００８１】
延在部が形成する横断面形状は、図１に示すＵ字型形状に限定されるものではない。例えば、横断面形状がコの字型形状となる物を延在部として採用することも可能である。又は、横断面形状がそれらの形状以外の物を延在部として用いても良い。但し、延在部の横断面形状がＵ字型形状である場合に既述した利点は、得られない。これらの様々な形状の横断面を「所定の形状の横断面」と定義する。
【００８２】
（変形例３）
【００８３】
図１５は、本変形例に係る壁面部６Ａの載置状態を示す斜視図である。本変形例では、壁面部６Ａは、平面板部５Ｐの上面５ＵＳの内で、同部５Ｐの一方の側面５ＳＳ１の上端に隣接する端部分５ＵＳ１上に配設・固定されている。
【００８４】
又、図１６は、図１５の壁面部６Ａの一方の側面６ＳＳ１Ａを示す平面図である。図１６に例示する通り、壁面部６Ａの下面側から第１及び第２切り込み部１０ＡＣ，１１ＡＣが形成されている。これらの切り込み部１０ＡＣ，１１ＡＣの各々は、壁面部６Ａが図１５に示す様に上面５ＵＳの端部分５ＵＳ１上に配設・固定されることによって、第１及び第２溝部１０Ａ，１１Ａを形成する。
【００８５】
その他の構成は、実施の形態１で記載した対応部分の構成と同一である。
【００８６】
本変形例によっても、実施の形態１に於いて記載した利点と同様の利点が得られることは、言うまでも無い。又、本変形例では、実施の形態１の様な壁面部６の側面５ＳＳ１からの出っ張りが無い分だけ、台座板部５の小型化を図ることが出来る。
【００８７】
（付記）
【００８８】
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００８９】
本発明は、特に天井面から吊り下げた額縁取り付け具に適用して好適である。
【符号の説明】
【００９０】
１        第１取り付け部材
【００９１】
２        天板部
【００９２】
３        延在部
【００９３】
３ＰＨ１  第１貫通穴
【００９４】
３ＰＨ２  第２貫通穴
【００９５】
４        第２取り付け部材
【００９６】
５        台座板部
【００９７】
５Ｐ      平面板部
【００９８】
６        壁面部
【００９９】
７        矩形板部
【０１００】
７ＰＨ    第３貫通穴
【０１０１】
８        第１額縁支持部
【０１０２】
８ＳＬ    第１スライド部分
【０１０３】
９        第２額縁支持部
【０１０４】
９ＳＬ    第２スライド部分
【０１０５】
１０      第１溝部
【０１０６】
１１      第２溝部
【０１０７】
１２      連結部材
【０１０８】
１２Ａ    第１支持部分
【０１０９】
１３      紐
【０１１０】
１４      額縁の長手方向に於ける中心軸
【０１１１】
１５      天井
【０１１２】
１６Ａ    ビス
【０１１３】
１６Ｂ    ビス
【０１１４】
１７      壁
【０１１５】
１８      額縁
【図１】
2012165842.tif 000003
【図２】
2012165842.tif 000004
【図３】
2012165842.tif 000005
【図４】
2012165842.tif 000006
【図５】
2012165842.tif 000007
【図６】
2012165842.tif 000008
【図７】
2012165842.tif 000009
【図８】
2012165842.tif 000010
【図９】
2012165842.tif 000011
【図１０】
2012165842.tif 000012
【図１１】
2012165842.tif 000013
【図１２】
2012165842.tif 000014
【図１３】
2012165842.tif 000015
【図１４】
2012165842.tif 000016
【図１５】
2012165842.tif 000017
【図１６】
2012165842.tif 000018